【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
約１０〜約８０重量％または約１５〜約７０重量％の少なくとも１種のエチレンコポリマーと、約５〜約６０重量％または約１５〜約４５重量％の少なくとも１種のポリオレフィンと、約０．５〜約３５重量％または約１０〜約２０重量％の少なくとも１種の粘着性樹脂と、充填材とを含む組成物であって、
前記エチレンコポリマーがエチレン、アルキル（メタ）アクリレート、および任意選択のコモノマーから誘導される繰り返し単位を含み、
前記ポリオレフィンが、ポリエチレンホモポリマー、ポリプロピレンホモポリマー、エチレンを含むコポリマー、またはプロピレンを含むコポリマー、またはこれらの２つ以上の組み合わせを包含し、
前記粘着性樹脂が、好ましくはクマロンインデン樹脂、テルペン樹脂、ブタジエン−スチレン樹脂、炭化水素樹脂、ロジン材料、またはこれらの２つ以上の組み合わせを包含し、
前記任意選択のコモノマーが無水マレイン酸、グリシジルメタクリレート、一酸化炭素、またはこれらの２つ以上の組み合わせを包含し、
前記ポリオレフィンが、エチレンおよび１−ブテン、１オクテン、またはこれらの組み合わせから誘導されるコポリマーであり、ならびに
前記充填材が無機化合物の粒子を包含する組成物。
【請求項２】
前記粘着性樹脂がポリリモネンから誘導され、および前記エチレンコポリマーが前記任意選択のコモノマーから誘導される繰り返し単位を含む請求項１に記載の組成物。
【請求項３】
前記エチレンコポリマーが管型反応器製造エチレンコポリマーである請求項１または２に記載の組成物。
【請求項４】
第１の基材、第２の基材、または両方に組成物を接着させるための組成物の使用であって、前記第１の基材がフルオロポリマー材料であり、前記第２の基材がフォイル、紙、ポリエステル、ポリアミド、ポリオレフィン、ポリエチレンビニルアルコール、ポリエチレンビニルアセテート、エチレン酸コポリマー、エチレン酸コポリマーのアイオノマー、ポリ塩化ビニル、ポリ塩化ビニリデン、無水物変性ポリオレフィン、またはこれらの２つ以上の組み合わせであり、前記第１の基材、前記第２の基材、または両方が任意選択でフィルムまたはシートの形態であり、および、組成物が請求項１〜３のいずれか一項に記載のものである、組成物の使用。
【請求項５】
組成物を含む少なくとも１つの層と、少なくとも１種のフルオロポリマーを含む少なくとも１つの層と、および少なくとも１つの任意選択の層とを含む多層構造であって、前記組成物が、請求項１〜３のいずれか一項に記載のものであり、前記フルオロポリマーが、好ましくはポリクロロトリフルオロエチレンであり、前記任意選択の層がフォイル、紙、ポリエステル、ポリアミド、ポリオレフィン、ポリエチレンビニルアルコール、ポリエチレンビニルアセテート、エチレン酸コポリマー、エチレン酸コポリマーのアイオノマー、ポリ塩化ビニル、ポリ塩化ビニリデン、無水物変性ポリオレフィン、またはこれらの２つ以上の組み合わせを含み、前記任意選択の層が、好ましくはポリ塩化ビニル、ポリエチレンテレフタレート、またはこれらの２つ以上の組み合わせを含み、ならびに前記任意選択の層および前記多層構造が可熱成形ウェブまたは可撓性フィルムを包含する、多層構造。
【請求項６】
多層構造および、任意選択で基材層、剥離性ふたまたは両方を含むかまたはそれから製造されるパッケージであって、
前記パッケージが成形容器、加圧容器、熱成形剛性容器、ブリスターパック、熱成形ブリスターパック、またはこれらの２つ以上の組み合わせを包含し、および前記多層構造が請求項５に記載のものであり、
前記基材層が、フォイル、板紙、ガラス、高密度ポリエチレン、ポリプロピレン、高耐衝撃性ポリスチレン、発泡ポリスチレン、アクリル系ホモポリマーおよびアクリル系コポリマー、ポリカーボネート、ポリスルホン、アモルファスポリエチレンテレフタレート、結晶性ポリエチレンテレフタレート、ポリ塩化ビニル、フルオロポリマー、ポリアクリロニトリルホモポリマーおよびコポリマー、ポリアセタール、ポリアセタールコポリマー、またはこれらの２つ以上の組み合わせを包含し、
前記剥離性ふたが少なくとも第１の層および少なくとも第２の層を包含し、前記第１の層が組成物を含むかまたはそれから製造され、前記組成物が、約１０〜約９０重量％の少なくとも１種のエチレン／アルキル（メタ）アクリレートコポリマー、約５〜約６０重量％の少なくとも１種のポリオレフィン、０〜約３５重量％の少なくとも１種の粘着性樹脂、および０〜約３５重量％の充填材を含むかまたはそれから製造され、および前記第２の層がフルオロポリマー、好ましくはポリクロロトリフルオロエチレンを含むかまたはそれから製造され、ならびに
前記パッケージが容器、ポーチ、または両方である、パッケージ。
【手続補正２】
【補正対象書類名】明細書
【補正対象項目名】０１３３
【補正方法】変更
【補正の内容】
【０１３３】
実施例２６
実施例９のフィルムの多層構造を、Ｍｅｄｉｐａｋ  Ｍｏｄｅｌ  ＣＰ−２ｌパッケージング機（上部および下部成形温度１１５℃）を用いてブリスターパックブランクに熱成形した。
次に、本発明の好ましい態様を示す。
1.  少なくとも１種のエチレンコポリマー、少なくとも１種のポリオレフィン、少なくとも１種の粘着性樹脂、および任意成分の充填材を含む組成物であって、
前記エチレンコポリマーがエチレン、アルキル（メタ）アクリレート、および任意成分のコモノマーから誘導される繰り返し単位を含み、
前記ポリオレフィンが、好ましくはポリエチレンホモポリマー、ポリプロピレンホモポリマー、エチレンを含むコポリマー、またはプロピレンを含むコポリマー、またはこれらの２つ以上の組み合わせを包含し、
前記粘着性樹脂が、好ましくはクマロンインデン樹脂、テルペン樹脂、ブタジエン−スチレン樹脂、炭化水素樹脂、ロジン材料、またはこれらの２つ以上の組み合わせを包含し、
前記任意成分のコモノマーが無水マレイン酸、グリシジルメタクリレート、一酸化炭素、またはこれらの２つ以上の組み合わせを包含し、ならびに
（ａ）約１０〜約８０重量％の少なくとも１種のエチレン／アルキル（メタ）アクリレートコポリマー、約５〜約６０重量％の少なくとも１種のポリオレフィン、約０．５〜約３５重量％の少なくとも１種の粘着性樹脂、および０〜約３５重量％の充填材、または
（ｂ）約１５〜約７０重量％の少なくとも１種のエチレン／アルキル（メタ）アクリレートコポリマー、約１５〜約４５重量％の少なくとも１種のポリオレフィン、および（ｃ）約１０〜約２０重量％の少なくとも１種の粘着性樹脂、または
（ｃ）約４０〜約７０重量％の少なくとも１種のエチレン／アルキル（メタ）アクリレートコポリマー、約１５〜約４５重量％の少なくとも１種のポリオレフィン、および約１０〜約２０重量％の少なくとも１種の粘着性樹脂
を含むかまたはそれから製造される組成物。
2.  前記エチレンコポリマーが前記組成物に約４０〜約７０重量％で存在し、前記エチレンコポリマーが５〜３０重量％のＣ1-4アルキル（メタ）アクリレートから誘導される繰り返し単位を含み、好ましくは前記エチレンコポリマーが９〜２４重量％のメチルアクリレートから誘導される繰り返し単位を含む上記１に記載の組成物。
3.  前記エチレンコポリマーが約０．１〜約１００ｇ／１０分、約０．５〜約５０ｇ／１０分、または約０．５〜約３０ｇ／１０分のメルトインデックスを有し、および前記エチレンコポリマーが好ましくは各々エチレンおよびメチルアクリレートから誘導される２種の異なるコポリマーを含む上記１または２に記載の組成物。
4.  前記エチレンコポリマーが前記任意成分のコモノマーから誘導される繰り返し単位をさらに含む上記１〜３のいずれか一項に記載の組成物。
5.  前記ポリオレフィンが、エチレンおよび１−ブテン、１オクテン、またはこれらの組み合わせから誘導されるコポリマーである上記１〜４のいずれか一項に記載の組成物。
6.  前記粘着性樹脂がポリリモネンから誘導される上記１〜５のいずれか一項に記載の組成物。
7.  前記エチレンコポリマーが管型反応器製造エチレンコポリマーである上記１〜６のいずれか一項に記載の組成物。
8.  前記組成物が第１の基材、第２の基材、または両方に接着されており、前記第１の基材がフルオロポリマー材料であり、前記第２の基材がフォイル、紙、ポリエステル、ポリアミド、ポリオレフィン、ポリエチレンビニルアルコール、ポリエチレンビニルアセテート、エチレン酸コポリマー、エチレン酸コポリマーのアイオノマー、ポリ塩化ビニル、ポリ塩化ビニリデン、無水物変性ポリオレフィン、またはこれらの２つ以上の組み合わせであり、および前記第１の基材、前記第２の基材、または両方はフィルムまたはシートの形態であってもよい上記１〜７のいずれか一項に記載の組成物。
9.  組成物を含む少なくとも１つの層と、少なくとも１種のフルオロポリマーを含む少なくとも１つの層を含み、および少なくとも１つの層を任意に含んでもよい多層構造であって、前記組成物が、上記１〜８のいずれか一項に記載のものであり、前記フルオロポリマーが、好ましくはポリクロロトリフルオロエチレンであり、前記任意に含んでいてもよい層がフォイル、紙、ポリエステル、ポリアミド、ポリオレフィン、ポリエチレンビニルアルコール、ポリエチレンビニルアセテート、エチレン酸コポリマー、エチレン酸コポリマーのアイオノマー、ポリ塩化ビニル、ポリ塩化ビニリデン、無水物変性ポリオレフィン、またはこれらの２つ以上の組み合わせを含み、および前記任意に含んでいてもよい層が、好ましくはポリ塩化ビニル、ポリエチレンテレフタレート、またはこれらの２つ以上の組み合わせを含む多層構造。
10.  前記任意に含んでいてもよい層を含み、前記多層構造が可熱成形ウェブまたは可撓性フィルムを包含する上記９に記載の多層構造。
11.  多層構造を含むかまたはそれから製造されるパッケージであって、前記パッケージが成形容器、加圧容器、熱成形剛性容器、ブリスターパック、熱成形ブリスターパック、またはこれらの２つ以上の組み合わせを包含し、および前記多層構造が上記９または１０に記載のものであるパッケージ。
12.  フォイル、板紙、ガラス、高密度ポリエチレン、ポリプロピレン、高耐衝撃性ポリスチレン、発泡ポリスチレン、アクリル系ホモポリマーおよびアクリル系コポリマー、ポリカーボネート、ポリスルホン、アモルファスポリエチレンテレフタレート、結晶性ポリエチレンテレフタレート、ポリ塩化ビニル、フルオロポリマー、ポリアクリロニトリルホモポリマーおよびコポリマー、ポリアセタール、ポリアセタールコポリマー、またはこれらの２つ以上の組み合わせを包含する基材層と、
少なくとも第１の層および少なくとも第２の層を含む剥離性ふたであって、前記第１の層が組成物を含むかまたはそれから製造され、前記組成物が、約１０〜約９０重量％の少なくとも１種のエチレン／アルキル（メタ）アクリレートコポリマー、約５〜約６０重量％の少なくとも１種のポリオレフィン、０〜約３５重量％の少なくとも１種の粘着性樹脂、および０〜約３５重量％の充填材を含むかまたはそれから製造され、および前記第２の層がフルオロポリマー、好ましくはポリクロロトリフルオロエチレンを含むかまたはそれから製造されるふたとを含み、ならびに
前記パッケージが容器、ポーチ、または両方である
上記１１に記載のパッケージ。
13.  組成物を（１）フルオロポリマー、好ましくはポリクロロトリフルオロエチレンを含むかまたはそれから製造される物品、（２）任意に含んでいてもよい層、または（１）および（２）の両方に接着する工程を含み、前記組成物が上記１〜８のいずれか一項に記載のものであり、および前記任意に含んでいてもよい層が上記２６に記載のものである方法。